(57)【要約】【課題】液体の粘り力の特性を利用してダンパーを生じさせることにより、打球時に生じた振動を確実に吸収したりまたは減らしたりすることができるため、ゴルフクラブの使用上の快適感を増やすことができる。さらに、振動によってゴルフクラブの各結合位置の強度に与える影響を減らすことができるため、ゴルフクラブの使用寿命を延ばすことができるゴルフクラブヘッドの振動吸収構造を提供しようとするものである。【解決手段】ヘッド本体および収容室により構成される。ヘッド本体はフェース板と結合することができ、収容室はヘッド本体に形成されると共に、収容室に液体を注入することができる。ヘッド本体が打球を行う時、上記液体の粘り力の特性によってダンパーが生じてヘッド本体の振動、衝撃を減らすことができるように構成されている。【選択図】    図１
2004236771.tif 000002
【特許請求の範囲】
【請求項１】
ヘッド本体（１１）および収容室（１５）により構成されるゴルフクラブヘッドの振動吸収構造であって、ヘッド本体（１１）はフェース板（１２）と結合することができ、収容室（１５）はヘッド本体（１１）に形成されると共に、収容室（１５）に液体（１６）を注入することができ、ヘッド本体（１１）が打球を行う時、収容室（１５）の液体（１６）によって振動の吸収能力が緩和するのを提供することにより振動を減らすことができることを特徴とするゴルフクラブヘッドの振動吸収構造。
【請求項２】
液体（１６）は水、油、膠状流質、無腐食性の水性溶液、有機溶液、混合溶液および適当な粘着度を有した溶液であることを特徴とする請求項１記載のゴルフクラブヘッドの振動吸収構造。
【請求項３】
ヘッド本体（１１）はウッドヘッドであることを特徴とする請求項１記載のゴルフクラブヘッドの振動吸収構造。
【請求項４】
ヘッド本体（１１）はアイアンヘッドであることを特徴とする請求項１記載のゴルフクラブヘッドの振動吸収構造。
【請求項５】
ヘッド本体（１１）はパターヘッドであることを特徴とする請求項１記載のゴルフクラブヘッドの振動吸収構造。
【請求項６】
ヘッド本体（１１）には他に正面と背面を貫通するための開口部（１４）が設けられ、収容室（１５）はヘッド本体（１１）の背面の開口部（１４）の内部に形成されることを特徴とする請求項３記載のゴルフクラブヘッドの振動吸収構造。
【請求項７】
ヘッド本体（２１）には他に内部空間（２４）が形成され、収容室（２５）は内部空間（２４）の内部に形成されることを特徴とする請求項４記載のゴルフクラブヘッドの振動吸収構造。
【請求項８】
収容室（１５）はヘッド本体（１１）とフェース板（１２）を連接するように形成されることを特徴とする請求項６または７記載のゴルフクラブヘッドの振動吸収構造。
【請求項９】
収容室（１５）はフェース板（１２）のスイートスポットの背面の位置に形成されることを特徴とする請求項１記載のゴルフクラブヘッドの振動吸収構造。
【請求項１０】
収容室（１５）はヘッド本体（１１）の開口部（１４）においてホーゼル（１３）の背面に最も近い位置に形成されることを特徴とする請求項１記載のゴルフクラブヘッドの振動吸収構造。
【請求項１１】
収容室（１５）の側辺には少なくとも一個の拡張部（１５２）が延伸して形成されることにより、内部の容積が増えて比較的多い液体（１６）を注入することができることを特徴とする請求項１記載のゴルフクラブヘッドの振動吸収構造。
【請求項１２】
収容室（１５）は隠蔽の埋設方式でヘッド本体（１１）の内部に形成されることを特徴とする請求項１記載のゴルフクラブヘッドの振動吸収構造。
【請求項１３】
収容室（１５）は一体成形にヘッド本体（１１）に形成されることを特徴とする請求項１記載のゴルフクラブヘッドの振動吸収構造。
【請求項１４】
収容室（１５）は溶接によってヘッド本体（１１）に結合されることを特徴とする請求項１記載のゴルフクラブヘッドの振動吸収構造。
【請求項１５】
収容室（１５）には少なくとも一個のスルーホール（１５１）が穿設され、スルーホール（１５１）によって液体（１６）を収容室（１５）に注入することができることを特徴とする請求項１記載のゴルフクラブヘッドの振動吸収構造。
【請求項１６】
収容室（１５）のスルーホール（１５１）は粘着剤、密閉部材によって密封されることができることを特徴とする請求項１記載のゴルフクラブヘッドの振動吸収構造。
【発明の詳細な説明】
【０００１】
【発明の属する技術分野】
本発明は、ゴルフクラブヘッドの振動吸収構造に関するもので、特にヘッド本体の適当な位置に液体を注入するための収容室が設けられ、打球時の振動を吸収したり減らしたりすることができるゴルフクラブヘッドの振動吸収構造に係るものである。
【０００２】
【従来の技術】
従来この種のものにあっては、下記のようなものになっている。
【０００３】
従来のゴルフクラブヘッドの構造としては、図５、６に示すように、そのアイアンヘッドは主にヘッド本体１１、フェース板１２およびホーゼル１３により構成される。ヘッド本体１１には正面と背面を貫穿するための開口部１４が設けられると共に、開口部１４とフェース板１２は溶接または嵌設配合等の方式によって結合されることができ、さらにホーゼル１３にクラブ（図示せず）を嵌設することができるように構成されている。
【０００４】
また、従来のゴルフクラブヘッドの振動吸収構造としては、ヘッドの同じ厚さのフェースの上下の間にスリットが設けられ、上記スリットは同じ厚さのフェースの周壁層の間に穿設され、上記スリットに振動吸収材料の充填物を注入することにより、埋設式の振動吸収層の構造が形成されるため、ヘッドが受けた打球の振動力を完全に吸収することができるように構成されている（例えば、特許文献１を参照）。
【０００５】
【特許文献１】
中華民国新型公告番号第３３７１８１号
【０００６】
【発明が解決しようとする課題】
上記従来のゴルフクラブヘッドの構造においては、ヘッド本体１１を利用して打球を行う時、フェース板１２によって打球の力をゴルフボールに伝達することができる。しかし、力学においては、フェース板１２は打球によって反作用力（すなわち、打球応力）が生じるため、スイングの後には振動、衝撃が生じてしまう。大部分の打球応力はヘッド本体１１と開口部１４の開放の構造によって吸収したり弱くしたりすることができるが、残った振動は相変わらずクラブを経てグリップ（図示せず）に伝達されることにより、打球時において使用者の手に不快感が生じてしまうだけではなく、ゴルフクラブの結合位置の構造の強度に影響を与えてしまうため、ゴルフクラブの使用寿命が短くなるという問題点があった。そのために、上記従来のゴルフクラブヘッドの構造をさらに改良しなければならない。
【０００７】
また、上記従来のゴルフクラブヘッドの振動吸収構造においては、スリットに振動吸収材料の充填物を注入することにより、ヘッドが受けた打球の振動力を吸収することができるが、その吸収できる振動は僅かで、振動は相変わらずクラブを経てグリップ（図示せず）に伝達されることにより、打球時において使用者の手に不快感が生じてしまうという問題点があった。そのために、上記従来のゴルフクラブヘッドの振動吸収構造をさらに改良しなければならない。
【０００８】
本発明は、このような問題点に鑑みて発明したものであって、その目的とするところは、ヘッド本体に液体を注入するための収容室を増設し、上記液体そのものの粘り力の特性によってダンパーが生じて打球時の振動を吸収したり減らしたりすることができるため、使用者の手に快適感を確実に与えることができ、さらにゴルフクラブの結合位置の強度に影響を与えるのを避けることができるゴルフクラブヘッドの振動吸収構造を提供しようとするものである。
【０００９】
本発明の第一の目的は、液体の粘り力の特性を利用してダンパーを生じさせることにより、打球時に生じた振動を確実に吸収したりまたは減らしたりすることができるため、ゴルフクラブの使用上の快適感を増やすことができるゴルフクラブヘッドの振動吸収構造を提供しようとするものである。
【００１０】
本発明の第二の目的は、液体の粘り力の特性を利用し、振動によってゴルフクラブの各結合位置の強度に与える影響を減らすことができるため、ゴルフクラブの使用寿命を延ばすことができるゴルフクラブヘッドの振動吸収構造を提供しようとするものである。
【００１１】
【課題を解決するための手段】
上記目的を達成するために、本発明によるゴルフクラブヘッドの振動吸収構造は、下記のようになるものである。すなわち、
ヘッド本体および収容室により構成される。ヘッド本体はフェース板と結合することができる。収容室はヘッド本体に形成されると共に、収容室に液体を注入することができる。ヘッド本体が打球を行う時、収容室の液体によって振動の吸収能力が緩和するのを提供することにより、振動を減らすことができる。
【００１２】
また、本発明のゴルフクラブヘッドの振動吸収構造は、下記のように構成することもできる。
１．液体は水、油、膠状流質、無腐食性の水性溶液、有機溶液、混合溶液および適当な粘着度を有した溶液である。
２．ヘッド本体はウッドヘッドである。
３．ヘッド本体はアイアンヘッドである。
４．ヘッド本体はパターヘッドである。
５．ヘッド本体には他に正面と背面を貫通するための開口部が設けられ、収容室はヘッド本体の背面の開口部の内部に形成される。
６．ヘッド本体には他に内部空間が形成され、収容室は内部空間の内部に形成される。
７．収容室はヘッド本体とフェース板を連接するように形成される。
８．収容室はフェース板のスイートスポットの背面の位置に形成される。
９．収容室はヘッド本体の開口部においてホーゼルの背面に最も近い位置に形成される。
１０．収容室の側辺には少なくとも一個の拡張部が延伸して形成されることにより、内部の容積が増えて比較的多い液体を注入することができる。
１１．収容室は隠蔽の埋設方式でヘッド本体の内部に形成される。
１２．収容室は一体成形にヘッド本体に形成される。
１３．収容室は溶接によってヘッド本体に結合される。
１４．収容室には少なくとも一個のスルーホールが穿設され、スルーホールによって液体を収容室に注入することができる。
１５．収容室のスルーホールは粘着剤、密閉部材によって密封されることができる。
【００１３】
【発明の実施の形態】
本発明の実施の形態について、以下、図面を参照して説明する。
【００１４】
図１は本発明の実施形態１のゴルフクラブヘッドの振動吸収構造による組立てられた状態の背面図で、図２は図１の２−２線に沿った断面図で、図３は本発明の実施形態２のゴルフクラブヘッドの振動吸収構造による組立てられた状態の背面図で、図４は図３の４−４線に沿った断面図である。
【００１５】
本考案のゴルフクラブヘッドの振動吸収構造の一部分の部材は従来の技術における従来のゴルフクラブヘッドの構造と同じため、両者の同じ部分の部材は同じ符号を用いて標示し、その構造と功能については再び詳細に説明しない。
【００１６】
【実施形態１】
図１を参照すると、本発明の実施形態１によるゴルフクラブヘッドの振動吸収構造は、主に、ヘッド本体１０および収容室１５を含む。ヘッド本体１１はフェース板１２と結合することができ、そして適当な位置に収容室１５が形成され、収容室１５に液体を注入することができる。ヘッド本体１１が打球を行う時、収容室１５の液体１６によって振動の吸収能力が緩和するのを提供することにより、振動を吸収したりまたは減らしたりすことができるため、使用者の手に快適感を与えることができる。
【００１７】
図１、２を参照すると、本発明の実施形態１のヘッド本体１１および収容室１５の細部な構造が示される。ヘッド本体１１は鍛造または鋳造によってアイアンヘッドが製造され、その正面には例えば溶接または嵌設の方式によってフェース板１２が結合され、ヘッド本体１１の側辺にはクラブ（図示せず）と結合するためのホーゼル１３が形成される。ヘッド本体１１には他に正面と背面を貫通するための開口部１４が設けられる。収容室１５はヘッド本体１１の適当な位置に形成される方が好適で、特にヘッド本体１１の背面の開口部１４の内部に形成されるため、ヘッド本体１１とフェース板１２を連接することができる。収容室１５は通常として金属の框体からなると共に、例えば一体成形または溶接の方式によってヘッド本体１１に結合され、さらに収容室１５には少なくとも一個のスルーホール１５１が穿設されることにより、液体１６を収容室１５に注入して粘着剤または適当な密閉部材によって密封することができる。液体１６が収容室１５の内部を充満することによって振動、ふらつきを避けることができ、液体１６は例えば水、油、膠状流質、無腐食性の水性溶液、有機溶液、混合溶液または適当な粘着度を有した溶液を使用することができる。金属、合金等の固体表面と比べて、液体１６は比較的よい粘り力と振動を吸収する能力を有するため、ヘッド本体１１を利用して打球を行った時、収容室１５の液体１６によって生じたダンパーをもって反作用力（打球応力）による振動、衝撃を確実に吸収したり減らしたりすることができるため、使用者の手に与えた快適感を増やすことができる。さらに、ゴルフクラブの各結合位置の強度に影響を及ぼすのをある程度有効に避けることができるため、ゴルフクラブの使用寿命を延ばすことができる。
【００１８】
また、本発明の実施形態１の収容室１５は使用上の需要性に応じてヘッド本体１１の背面のいかなる位置に形成されることができ、例えばフェース板１２の打球のスイートスポット（ｓｗｅｅｔ  ｓｐｏｔ）の背面の位置に形成され、または開口部１４においてホーゼル１３の背面に最も近い位置に形成されることができる。収容室１５は需要性に応じて例えば適当な規格のサイズに形成され、または収容室１５の側辺には少なくとも一個の拡張部１５２が延伸して形成されることによって内部の容積が増えて比較的多い液体１６を注入することができる。その他に、収容室１５は隠蔽の埋設方式でヘッド本体１１の内部に形成されることができる。
【００１９】
【実施形態２】
図３、４を参照すると、本発明の実施形態２におけるヘッド本体２１および収容室２５の細部な構造が示される。ヘッド本体２１は鍛造、鋳造または溶接の方式によってウッドヘッドが製造され、その正面には階段部２１１が環設されるため、例えば溶接または嵌設の方式によってフェース板２２と結合することができ、ヘッド本体２１の側辺にはクラブ（図示せず）と結合するためのホーゼル２３が形成される。通常としてヘッド本体２１の内部には内部空間２４が凹設される。実施形態１と比べると、実施形態２における収容室２５はヘッド本体２１の内部空間２４の適当な位置に形成される方が好適で、特に内部空間２４の底部に形成されるため、ヘッド本体２１とフェース板２２を連接することができる。収容室２５も同様に例えば一体成形または溶接の方式によってヘッド本体２１に結合され、さらに収容室２５には少なくとも一個のスルーホール２５１が穿設されることにより、液体２６を収容室２５に注入して粘着剤または適当な密閉部材によって密封することができる。収容室２５のスルーホール２５１は例えばヘッド本体２１の外側または内部空間２４に形成されることができる。上述した設計によって本発明の実施形態２においてもヘッド本体２１を利用して打球を行った時、収容室２５の液体２６によって生じたダンパーをもって反作用力（打球応力）による振動、衝撃を確実に吸収したり減らしたりすることができる。
【００２０】
また、本発明の収容室１５、２５は一体成形、溶接または隠蔽の埋設方式でパターのヘッド（図示せず）に形成されることができるため、パターのヘッドが打球時においての振動、衝撃を減らすことができる。
【００２１】
再び図１、５を参照すると、本発明の実施形態のゴルフクラブヘッドの振動吸収構造において、ヘッド本体１１に収容室１５を増設して液体１６を注入し、液体１６の粘り力の特性によってダンパーが生じるため、打球時の振動を吸収したり減らしたりすることができる。従来のゴルフクラブヘッドの構造と比較してみると、従来のゴルフクラブヘッドの構造は打球時の振動を有効に吸収することができないため、使用者の手に不快感を与えてしまうという問題点があった。本発明のゴルフクラブヘッドの振動吸収構造によって使用者に快適感を与えることができると共に、使用寿命を延ばすことができるという利点がある。
【００２２】
【発明の効果】
本発明のゴルフクラブヘッドの振動吸収構造によれば、液体の粘り力の特性を利用してダンパーを生じさせることにより、打球時に生じた振動を確実に吸収したりまたは減らしたりすることができるため、ゴルフクラブの使用上の快適感を増やすことができるという利点がある。
【００２３】
本発明のゴルフクラブヘッドの振動吸収構造によれば、液体の粘り力の特性を利用し、振動によってゴルフクラブの各結合位置の強度に与える影響を減らすことができるため、ゴルフクラブの使用寿命を延ばすことができるという利点がある。
【００２４】
本発明は、その精神及び必須の特徴事項から逸脱することなく他のやり方で実施することができる。従って、本明細書に記載した好ましい実施例は例示的なものであり、限定的なものではない。
【図面の簡単な説明】
【図１】本発明の実施形態１のゴルフクラブヘッドの振動吸収構造による組立てられた状態の背面図である。
【図２】図１の２−２線に沿った断面図である。
【図３】本発明の実施形態２のゴルフクラブヘッドの振動吸収構造による組立てられた状態の背面図である。
【図４】図３の４−４線に沿った断面図である。
【図５】従来のゴルフクラブヘッドの構造による組立てられた状態の正面図である。
【図６】従来のゴルフクラブヘッドの構造による組立てられた状態の背面図である。
【符号の説明】
１１    ヘッド本体                  １２    フェース板
１３    ホーゼル                    １４    開口部
１５    収容室                    １５１    スルーホール
１５２    拡張部                      １６    液体
２１    ヘッド本体                ２１１    階段部
２２    フェース板                  ２３    ホーゼル
２４    内部空間                    ２５    収容室
２５１    スルーホール                ２６    液体
【図１】
2004236771.tif 000003
【図２】
2004236771.tif 000004
【図３】
2004236771.tif 000005
【図４】
2004236771.tif 000006
【図５】
2004236771.tif 000007
【図６】
2004236771.tif 000008